Podtech/llm-jp-corpus-v4-ja_patent huggingface dataset:
(57)【要約】      （修正有）【課題】鋼鉄製であった支線杭を打ち込むときの打撃音を改善し、打撃音を低減した支線杭を提供する。【解決手段】鋼鉄支線杭１の上部に、硬質ゴムキャップ２をかぶせて打撃音を低減する。【選択図】図１
0003110914.tif 000002
【実用新案登録請求の範囲】
【請求項１】
鋼鉄支線杭の上部に硬質ゴムを設けた支線杭
【考案の詳細な説明】
【技術分野】
【０００１】この考案は、鋼鉄支線杭の上部に硬質ゴムキヤップを設けた支線杭に、関するものである。
【背景技術】
【０００２】従来、支線杭の上部は鋼鉄製であった。
【考案が解決しようとする課題】
【０００３】この支線杭には、次のような問題点があった。
空中線装置などの支線を張る場合、鋼鉄支線杭を地面に打ち込むとき、鋼鉄製であるために発生する打撃音が激しく、他の環境に対して悪影響を与えていた。
本考案は、以上の欠点をなくするために、なされたものである。
【課題を解決するための手段】
【０００４】鋼鉄支線杭の上部に硬質ゴムをかぶせる。
以上の構成による支線杭である。
【考案の効果】
【０００５】鋼鉄支線杭の上部に硬質ゴムをかぶせ、一体となっている支線杭を打ち込むとき、打撃音が低減されて環境に対する影響も低減された。また、杭と硬質ゴムが一体となっているので打ち込む作業上、なんらさしつかえはない。
【考案を実施するための最良の形態】
【０００６】以下本考案の実施例について説明する。
鋼鉄支線杭（１）の上部の一端に硬質ゴムキャップ（２）を設ける。硬質ゴムキャップ（２）は、支線杭（１）の上部にかぶせられているが、硬質ゴムキャップ（２）は支線杭（１）より若干小さく作り、かぶせられているので脱落しないようになっている。
本考案は、以上のような構造で使用される。
【図面の簡単な説明】
【０００７】
【図１】    本考案の正面図
【符号の説明】
【０００８】１  鋼鉄支線杭
２  硬質ゴムキャップ
【図１】
0003110914.tif 000003
(57)【要約】      （修正有）【課題】外部より携帯中のキャッシュカード等情報記録媒体に記録した情報をスキミング出来ない各種バックおよび札入を提供する。【解決手段】外部より携帯中のキヤッシュカード等情報記録媒体に記録した情報をスキミング出来ない様にする方法を鋭意研究した結果、一部または全側面に金属シート等を有する各種バックおよび札入にスキミングセンサーを近づけても磁気シールド効果により在中カードのスキミング防止が出来る。【選択図】図１
0003110911.tif 000002
【実用新案登録請求の範囲】
【請求項１】
ハンドバック・ショルダーバック・セカンドバック等の各種バック及び札入れの側面部の一部又は全面に金属シート・プレート・メッシュ等の強磁性体を有することを特徴とする各種バック及び札入れ。
【請求項２】
請求項１において、貼り付けまたは組み込んだことを特徴とする各種バック及び札入。
【請求項３】
請求項１において、既存の各種バック及び札入れに貼り付けることを特徴とする金属シート・プレート・メッシュ等の強磁性体を有するパーツ。
【考案の詳細な説明】
【考案の詳細な説明】
【技術分野】
【０００１】関連特許の出願例がなく出願されているのはカードに記録する方法の処理ソフトまたは装置であり携帯中のカードより情報をスキミング防止するバックおよび札入に関するものはない。この考案は本体の一部又は全側面に金属シート等を有する各種バックおよび札入に関するものである。
【背景技術】
【０００２】通常各種バックおよび札入は一つないし複数個の入れ口に分かれていて、入れる物により使い分け出来るような構造になっている。このようなバックおよび札入にキャシュカード等情報記録媒体を入れて持ち歩く。【０００３】しかし、キャシュカード等情報記録媒体に記録した重用な情報をスキミングされて悪用され最悪の場合はおおきな損害または重大な危険・危機を招く問題点があった。
【考案が解決しようとする課題】
【０００４】従来では、外部より携帯中のキャシュカード等の情報記録媒体に記録した情報をスキミングされてしまい防止がむずかしかった。またスキミングをされてしまった事も知らない状況があり秘密が保持できない為におおきな損害等さまざまな問題が発生していた。本考案は外部より携帯中のキャシュカード等情報記録媒体に記録した情報をスキミングされてしまう事を防止する手段の提供を目的とする。
【課題を解決するための手段】
【０００５】上記課題を解決するため、本考案は外部より携帯中のキャシュカード等情報記録媒体に記録した情報をスキミング出来ない各種バックおよび札入を提供するためにこうじた手段を以下に述べる。
【０００６】各種バックおよび札入の一部または全側面に金属シート等の強磁性体を備えたことを特徴とする各種バックおよび札入を提供する。
【考案の効果】
【０００７】本考案に係る各種バックおよび札入は、外部よりスキミングするセンサーをキャシュカード等情報記録媒体に近づけても金属シート等の磁気シールド効果により情報のスキミングの防止をする効果を有する。
【考案を実施するための最良の形態】
【０００８】本考案を実施するための最良の形態を以下、図面に基づいて説明する。図１、図２に本発明に係る情報のスキミング防止をする各種バックおよび札入を実施するための構成図例を示す。
【実施例】
【０００９】この携帯カードスキミング防止バック１および札入１１を使用する場合について一連の働きを説明する。【００１０】携帯カードスキミング防止バック１の内部にカード収納ポケット７を設置しこの場所に携帯カード６を収納し持ち歩く。【００１１】カード情報のスキミングを目的に外部よりスキミングセンサー８を接近さすとバック１の側面に施された金属シート等の強磁性体３の磁気シールド効果で情報のスキミングが防止出来る。【００１２】携帯カードスキミング防止札入１１の内部にカード収納ポケット１２を設置しこの場所に携帯カード１６を収納し持ち歩く。【００１３】カード情報のスキミングを目的に外部よりスキミングセンサー１８を接近さすと札入１１の側面に施された金属シート等の強磁性体１３の磁気シールド効果で情報のスキミングが防止出来る。【００１４】既にある各種バックおよび札入に金属シート等の強磁性体パーツを貼り付ける方法でも磁気シールド効果で情報のスキミングが防止出来る。
【産業上の利用可能性】
【００１５】本考案は外部より各種バックおよび札入の中に有るキャシュカード等情報記録媒体にスキミングするセンサーを近づけても金属シート等の磁気シールド効果により情報のスキミング防止をすることが特徴とする各種バックおよび札入である。
【図面の簡単な説明】
【００１６】
【図１】携帯カードスキミング防止バックの実施例の構成図である。
【図２】携帯カードスキミング防止札入の実施例の構成図である。
【符号の説明】
【００１７】１    バック本体              １１    札入本体
２    握手                    １２    カードポケット部材
３    金属シート等            １３    金属シート等
４    バック外部材            １４    札入外部材
５    バック内部材            １５    札入内部材ａ
６    カード                  １６    カード
７    カードポケット部材      １７    札入内部材ｂ
８    スキミングセンサー      １８    スキミングセンサー
９    バック底部材
【図１】
0003110911.tif 000003
【図２】
0003110911.tif 000004
(57)【要約】      （修正有）【課題】取出したフィルムの形状（方形）が保たれ、しわが生じず、使用者による引き出しが容易な食品包装用フィルム取出し装置を提供する。【解決手段】食品包装用フィルムの取り出しにおいて、食品包装用フィルムが有する静電特性と同じ性質を持つ合成樹脂で出来た取出し装置を用い、これにより、食品包装用フィルムの形状（方形）が保たれ、しわが出来にくく、使用者は容易に食品包装用フィルムを引き出すことが出来る。【選択図】図２
0003110919.tif 000002
【実用新案登録請求の範囲】
【請求項１】
収納箱に巻き取り収納され、且つ順次に引き出される食品包装フィルムと、この食品包装用フィルム引き出し先端部に副わせて静電作用にて吸着させると共に、引き出す当板とでなす食品包装フィルム取出し装置。
【請求項２】
当板をガラス又は金属製とし、この当板を静電特性を有する合成樹脂チューブに収納して密着一体化した請求項１記載の食品包装フィルム取出し装置。
【請求項３】
当板の表面に静電特性を有する塗料を塗布した請求項１記載の食品包装用フィルム取出し装置。
【請求項４】
当板を食品包装用フィルムの上に載置し、収納箱のふたを閉じることで食品包装用フィルム収納箱に収納する請求項１記載の食品包装フィルム取出し装置。
【請求項５】
当板を食品包装用フィルム収納箱の一面に設けた袋に収納することとした請求項１記載の食品包装用フィルム取出し装置。
【請求項６】
当板を食品包装用フィルム収納箱の一面に設けたフックに引っ掛けることとした請求項１記載の食品包装用フィルム取出し装置。
【考案の詳細な説明】
【技術分野】
【０００１】  本考案は、食品包装用フィルムを収納箱から簡単に取り出す為の道具に関する。
【背景技術】
【０００２】  従来、食品包装用フィルムを収納箱から指で取り出す際に、指では食品包装用フィルムを掴みにくく、しわが生じたりして、正常に取り出す事が出来ない。そこで、粘着剤を付けた当板を用いて、その当板を食品包装用フィルムの引き出し端部に粘着し、引き出すものも存在する。然しながら、この方法では粘着剤型の物に粘着する可能性があり、洗浄出来ない為不衛生である。
【考案の開示】
【考案が解決しようとする課題】
【０００３】  本考案は、このような従来有していた問題を解決しようとするものであり静電気を利用して食品包装用フィルムを容易且つ引き出した形状（方形）を維持しつつ取り出す事が出来る様にしたものである。静電気を利用している事により、粘着剤を用いるもの如く、衣服など他の物に粘着する恐れがなく、洗浄も容易である為衛生的といえる。
【考案の効果】
【０００４】  上述したように本考案の食品包装用フィルム取出し装置は、幅広の食品包装用フィルムでも、常に引き出した状態をくずすことなく、しわなどが出来にくく容易に取り出す事が出来る。又、洗浄可能であり衛生的である。
【発明の実施するための最良の形態】
【０００５】  以下、本発明の実施を図面１〜９に基づいて説明する。
【０００６】  図１に於いて、当板１は、合成樹脂、ガラス金属などにて作られており、つまみ２を中央に設け、端部に小孔３を有する。
【０００７】  この当板１を図２に示す如く、食品包装用フィルム４の上面に裁置させ、且つ食品包装用フィルム収納箱５、この箱のふた６の先端全部に反ってフィルムカッター７を有する。
【０００８】  この当板を図３に示す如く、食品包装用フィルムの上面に裁置させ、立ち上げた状態を示している。
【０００９】  又、図５に示す如く、当板８をガラス製とし、静電性に優れた合成樹脂チューブ９に差し込んでもよい。
【００１０】  更に図６は、当板１０を金属製としたものであって、外側に静電特性を有する塗料１１を塗布したものである。
【００１１】  図７は、食品包装用フィルム収納箱５の一面に収納袋１２を有するものである。
【００１２】  図８は、食品包装用フィルム収納箱５の一面に端部に引っ掛フック１３を有するものである。
【００１３】  図９は、食品包装用フィルムの上に当板１を装着し、ふたを閉めた状態を示す。
【図面の簡単な説明】
【００１４】
【図１】  本考案の食品包装用フィルムの取出し装置を示す。
【図２】  取出し装置を食品包装用フィルムの先端部に装着した状態を示す。
【図３】  食品包装用フィルムの先端部に装着した取出し装置を起こした状態を示す。
【図４】  取出し装置を利用し、食品包装用フィルムを引き出した状態を示す。
【図５】  ガラス製とした取り出し装置を、静電性に優れた合成樹脂チューブに差し込んだものを示す。
【図６】  金属製とした取り出し装置を、外側に静電特性を有する塗料を塗布したものを示す。
【図７】  食品包装用フィルム収納箱の一面に収納袋を設け、取出し装置を収納したものを示す。
【図８】  食品包装用フィルム収納箱の一面の端部にフックを設け、取出し装置を掛けて収納したものを示す。
【図９】  食品包装用フィルム収納箱の出ているフィルム上に取出し装置を装着し、食品包装用フィルム収納箱のふたを閉じて収納したものを示す。
【符号の説明】
【００１５】１．取出し装置
２．つまみ
３．小孔
４．食品包装用フィルム
５．収納箱
６．ふた
７．刃物
８．取出し装置（ガラス製）
９．合成樹脂チューブ
１０．取出し装置（金属製）
１１．静電性を有する塗料
１２．収納袋
１３．フック
【図１】
0003110919.tif 000003
【図２】
0003110919.tif 000004
【図３】
0003110919.tif 000005
【図４】
0003110919.tif 000006
【図５】
0003110919.tif 000007
【図６】
0003110919.tif 000008
【図７】
0003110919.tif 000009
【図８】
0003110919.tif 000010
【図９】
0003110919.tif 000011
(57)【要約】      （修正有）【課題】背中に背負ったバッグを身体の前にもってきたり元の背中に戻す場合に肩や腕が多少不自由な人でも容易に背負ったり下すことができる背負いバッグを提供する。【解決手段】肩に掛けるショルダーベルト２のリジットの部分を上下に分割し、上下の端部にワンタッチで脱着できる装置３０をつけ、かつ、その上下のショルダーベルトの４２の部分で伸縮性のあるゴム状バンド４１でつなぎ合わせることにより、脱着部をはずした時にはゴム状バンドの伸縮性を利用してショルダー部を肩に掛けたままバッグを身体の前に簡単にもってくることができる。【選択図】図１
0003110920.tif 000002
【実用新案登録請求の範囲】
【請求項１】
（１）背負うためのリジットなショルダーベルトの中間に、上下に脱着できるようにした装置とその上下のショルダーベルト部を伸縮性のあるゴム状バンドで別途につなぎ合わせた部分とを組合せた構造を有する背中に背負って持ち歩くバッグ類。
【考案の詳細な説明】
【技術分野】
【０００１】  本考案はリュッサック等の背負いバッグに関するもので、詳しくは背負いバッグのショルダー部の改良に関するものである。
【背景技術】
【０００２】  背中に背負って持ち歩くリュックサック類のショルダー部はリジッドなベルトで構成されており、長さを調節する装置はあるが、いったんセットすれば、背中に背負ったバッグを身体の前にもってくる場合には、いちいちショルダー部を肩からはずす動作をしなければならない構造になっている。
また、体の前から背中に戻す場合も、いちいち背負う動作をしなければならない構造になっている。
その問題を解決する方法として、唯一、実用新案第３０３６７９２号「背負いカバン」が提案されているが、ベルトはすべてリジットであり、折り返し環を設けて脱着部の下部を折り返す構造となっており、本実用新案のように、別途に脱着部の上下を伸縮性のあるゴム状バンド等でつなぎ合わせたこととを組合せた構造のものはない。
【考案の開示】
【考案が解決しようとする課題】
【０００３】  背中に背負うリュッサック等のバッグ類において、そのショルダー部の体の前の位置でワンタッチで脱着できるようにしたもので、かつその脱着部上下を別途に伸縮性のあるゴム状バンド等でつなぎ合わせた構造を持つため、脱着部の片方もしくは両方をワンタッチではずすことができ、かつ、ゴム状バンドの伸びを利用できるため、ショルダーベルト部を肩に掛けたまま、容易に背中に背負った状態からバッグを身体の前にもってくることができる。
また、背中に戻す場合も、ショルダーベルト部が肩に掛ったたままで、かつ、ゴム状バンドの伸縮性を利用できるため、力が軽減されるとともに、脱着部もゴム状バンドでつながれているため、容易に探し当てて装着することができる。
これにより、いちいち背負ったりはずしたりする従来の動作をすることなく、容易にバッグの中のものを取り出したり、収納することができる。
さらに、最初に背負う場合や最後におろす場合に、脱着部をはずしたショルダー部が伸びた状態で肩に掛け、その後で脱着部を装着することにより肩を大きく挙げて背負う従来の動作をする必要がないため、肩や手が多少不自由な人でも容易に背負うことができる。
さらに、電車内等の混雑した狭い場所でも、周りに障害を与える動作をしないで、容易に背中のバッグを身体の前へもってくることができるとともに、ショルダー部を肩に掛けたままで、ゴム状バンドの伸縮性を利用できるため身体の前で保持する労力も軽減できる。
【課題を解決するための手段】
【０００４】  背中に背負うバッグ類のショルダーベルト部の中間にワンタッチで上下に脱着できる装置を設け、かつ、その上下を別途に伸縮性のあるゴム状バンドでつなぎ合わせた構造を有する、背中に背負って持ち運ぶバッグ類。
【考案の効果】
【０００５】（１）いったん背負ったリュックサック類を体の前にもってきたり、元に戻す場合に、いちいちショルダーからはずしたり、背負う面倒な動作をしないで、ショルダー部を肩にかけたままワンタッチで簡単にできるため、バッグの中のものを容易に取り出したり、収納することができる。
（２）ゴム状伸縮性バンドで接続されているため、脱着部をはずしてバッグを身体の前にもってきても、適度な緊張度があるため、肩からショルダーベルトがはずれることがなく、かつ、脱着部も行方不明になることがなく、容易にみつけて装着できる。また、元の背中に戻す場合もゴム状バンドの収縮力が働くため、労力が軽減される。
一方、通常の装着時は縮んでいるため邪魔になったり、見栄えを悪くすることが無い。
（３）脱着部をはずしゴム状バンドをのばしたショルダー部の状態で背負い、その後で脱着部を装着することができるため、従来の窮屈な背負う動作が不要となり、肩や手が多少不自由な人でも容易に背負うことができる。
（４）混雑した電車内等でも、従来の背負う動作をしないですむため、広い空間を必要とせず、周りの人に迷惑をかけることがない。
【考案を実施するための最良の形態】
【０００６】  実施例に示す。
【実施例】
【０００７】  ショルダーベルト部の身体の前の部分に、上下にワンタッチで脱着できる自動車の安全シートに使用されるような装置を設け、その上下を元の長さより５０ｃｍ以上伸びる幅５ｃｍのゴムベルトでつなぎ合せたリュックサック。【０００８】  ショルダーベルト部の身体の前の部分に、上下にワンタッチで脱着できるフック式の装置を設け、その上下を元の長さより２０ｃｍ以上伸びる幅３ｃｍのゴムバンドでつなぎ合せたナップサック。【０００９】  ショルダーベルト部の身体の前の部分に、上下にワンタッチで脱着できる安全ストッパー付のワンタッチ脱着装置を設け、その上下を元の長さより４０ｃｍ以上伸びる幅５ｃｍのゴムベルトでつなぎあわせた赤ちゃんを背負うためのバッグ。
【図面の簡単な説明】
【００１０】
【図１】本考案にかかる背負いバッグの１例であるリュックサックの斜視図である。
0003110920.tif 000003
【符号の説明】
【００１１】１．  袋（バッグ）部
２．  ショルダーベルト
２１．ショルダーベルト肩当て部
２２．ショルダーベルトの長さ調節部
２３．ショルダーベルトの取り付け部
３０．ショルダーベルトの脱着部
３１．ショルダーベルトの上部の脱着部（受け具）
３２．ショルダーベルトの下部の脱着部（止め具）
４１．ショルダーベルトの脱着部上下をつなぐゴム状バンド
４２．ショルダーベルトのリジット部とゴム状バンドのつなぎ部
４３．脱着部とゴム状バンドが大きく離れないようにするためのワッカ
【図１】
0003110920.tif 000004
【図２】
0003110920.tif 000005
【図３】
0003110920.tif 000006
(57)【要約】      （修正有）【課題】従来品のようにずれない・外れない脇の下の汗取りパッドの提供。【解決手段】中心にダーツ４が縫われ脇にフィットする形状のパッド１と、両サイドのクリップ６をブラジャーの紐に調節しながら固定し、装着する事でこれを解決する。【選択図】図３
0003110912.tif 000002
【実用新案登録請求の範囲】
【請求項１】
ブラジャーの紐に固定できる２つのクリップと、脇のラインにフィットする形に縫われたダーツにより、動いても外れたりずれたりする事がなく、汗を吸い取る布パッド。
【考案の詳細な説明】
【技術分野】
【０００１】    本考案は脇の下の汗を吸い取り、衣類に染み込ませないための美容雑貨である。
【背景技術】
【０００２】    従来のパッドは、平面的な作りで、両面テープで固定するもの、ブラジャーに紐を引っ掛けて使用するものがあった。
【考案の開示】
【考案が解決しようとする課題】
【０００３】    しかし、体のラインにフィットしない平面的な作りの上、両面テープで固定するものは外れやすく、ブラジャーに紐を引っ掛ける仕様のものは、動いているうちにずれてしまっていた。
【課題を解決するための手段】
【０００４】    上記課題を解決するため、パッドの中心にダーツを入れ、脇にフィットする形にし、両サイドにクリップをつけることで、位置を調整しながらブラジャーの紐に固定させる事ができる。これにより、腕を上げ下げしても、外れたりずれたりする事なく装着できるのである。
【考案の効果】
【０００５】    従って、本考案の美容雑貨により、今までずれて使いづらかった脇の下の汗取りパッドが、脇にしっかりと固定されるようになり、衣類の汗染みを防ぐ事ができる。また、下着と共に洗濯機での洗浄が可能なため、繰り返し使用でき経済的である。
【考案を実施するための最良の形態】
【０００６】    本考案の汗取りパッド１は、パイル地部分２が肌に触れ汗を吸収する。裏面にはポリウレタンフィルム素材３が使用された二重構造のため、裏に汗が染み込まない。中心はダーツ４が縫われ脇の下に沿う形状である。そして、両サイドには透明の紐５が縫い付けられ、その先には下着に固定するためのクリップ６が備えられている。
【図面の簡単な説明】
【０００７】
【図１】    本考案に係る美容雑貨を上から見た平面図である。
【図２】    本考案に係る美容雑貨を下から見た平面図である。
【図３】    本考案に係る美容雑貨を装着した様子を表した図である。
【図４】    本考案に係る美容雑貨を装着し、腕を上げた様子を表した図である。
【符号の説明】
【０００８】    １  汗取りパッド
２  パイル地部分
３  ウレタンフィルム素材
４  ダーツ
５  透明の紐
６  クリップ
【図１】
0003110912.tif 000003
【図２】
0003110912.tif 000004
【図３】
0003110912.tif 000005
【図４】
0003110912.tif 000006
(57)【要約】      （修正有）【課題】雨天用具等を保管するために収納バッグを盗難防止対策を講じた上で取り付ける自転車（含む、原付自転車）用雨天対策。【解決手段】自転車の前カゴや後カゴ、又は車体の一部に防水性布地等による収納バッグを鎖と南京錠で結び、カゴの中に入れておくか車体に固定する。【選択図】図１
0003110913.tif 000002
【実用新案登録請求の範囲】
【請求項１】
自転車（含む原付自転車）の前カゴや後カゴの中、又は車体の一部に鎖と南京錠により取り付ける自転車雨具等収納バッグ
【考案の詳細な説明】
【技術分野】
【０００１】この考案は自転車の雨具等収納バッグと、その設置に関するものである。
【背景技術】
【０００２】従来の自転車には雨具等を収納するスペースが無く、駐輪しておく場合サドルをビニール袋等でカバーして雨天時対策としてきたが、傘やレインコートを保管出来ない為通勤や通学の帰りが雨になると自転車を利用するのに不便であった。
【考案の開示】
【考案が解決しようとする課題】
【０００３】  自転車には自動二輪車のヘルメットを保管するようなスペースが無く唯一のスペースである前カゴ又は後カゴの構造を改良する方法があるが製造コストに問題があると思われる。従って自転車に雨天用具を保管する為に、低コストで作れる収納バッグを盗難防止策を講じた上で、自転車のカゴの中に保管するか、又は車体に取り付ける方法により問題を解決しようとするものである。
【課題を解決する為の手段】
【０００４】  ビニール等の防水布地による収納バッグを鎖と南京錠で固定し、盗難防止を講じた上で自転車の前カゴ又は後カゴの中に保管する。カゴがない自転車の場合は走行の邪魔にならないよう車体の一部に取り付けることにより問題点を解決している。
【０００５】  当考案は低コストで操作が手軽で簡単なのが利点であるが盗難防止対策としては素材がカッター等で破壊されやすいという問題がある。しかし収納物の殆どはタオル（雑巾）、折り畳み傘、防水シート程度のものと推測出来るものであり、盗難の可能性は低いと考えられるがレインコート等の比較的高価な物を保管出来るよう、カッターでは破壊しにくい堅固な素材によるバッグも提供する。
【考案の効果】
【０００６】  青空駐輪の場合で通勤や通学の帰りに不意の雨になった時、サドル等を拭くタオルや傘がない為自転車の利用が困難な状況であったが、上述のように雨具収納バッグを常時取り付けておくことにより悪天候時にも自転車を利用できる。収納バッグの中に防水用シートを保管しておくことにより前（後）カゴ全体のカバーが出来、走行時荷物の防水も可能となる。
【考案の実施するための最良の形態】
【０００７】  収納バッグは主として前（後）カゴの中に荷物のように入れておくだけ。（図１）
盗難防止策としてカゴ枠とバッグの端、且つジッパーの先端部分に取り付けたＤ環ａとジッパータブｂを鎖で結び南京錠ｇで施錠する。（図３）
自転車にカゴが取り付けられていない場合はハンドルの中央部分やサドルの下など走行の邪魔にならない部分に鎖を取り付け、上記と同様に施錠する。この場合バッグのもう一方に取り付けたＤ環ｃを市販されているカードリングｄ又はヒモで結んで車体に取り付け、安定させる。（図２、および図４）
【図面の簡単な説明】
【０００８】
【図１】雨天用具を保管する為の収納バッグを前（後）カゴに取り付けた場合のイメージである。
【図２】自転車にカゴがついていない場合、又はついていてもカゴ枠に鎖を取り付けられないタイプのとき、自転車のハンドル中央部分又はサドルの下に収納バッグを取り付けた場合のイメージである。
【図３】（１）カゴ枠に収納バッグを取り付けた場合のイメージである。（２）盗難防止策を講じた収納バッグの側面図である。（３）盗難防止策を講じた収納バッグの正面図である。（４）鎖の両端の形状を示す。
【図４】（５）自転車のハンドルの中央部分に収納バッグを取り付けた場合のイメージである。（６）ハンドル中央部分の鎖の取り付け方法を示す。（７）自転車のサドルの下の部分に収納バッグを取り付けた場合のイメージある。
【符号の説明】
【０００９】１  前カゴ
２  後カゴ
３  ハンドルの中央部分
４  サドル
ａ  Ｄ環（鎖の両端とジッパータブと共に南京錠で施錠）
ｂ  ジッパータブ
ｃ  Ｄ環（カードリング又はヒモで結んで車軸に固定）
ｄ  カードリング
ｅ  収納バッグ
ｆ  鎖
ｇ  南京錠
【図１】
0003110913.tif 000003
【図２】
0003110913.tif 000004
【図３】
0003110913.tif 000005
【図４】
0003110913.tif 000006
(57)【要約】【課題】  従来の家庭用電気機器の操作ボタンの形状は、円形あるいは楕円形で押さえる面が大きいため指先の全面に力を入れなければならない。その際、押圧力が分散され中高年者、特に高齢者においてはその操作が困難なものである。また、家庭用電気機器の操作部本体及び操作パネル及び操作ボタンはほぼ同一の平面上にあり、暗いところでは操作ボタンの位置が判別しにくいという欠点もある。【解決手段】  家庭用電気機器の操作ボタンの表面に指先の感覚だけで確認できる突起を設けたシールを貼付することにより、この突起の働きで大きな平面状の操作ボタンが小さな点状となって指先の押圧力の分散を防ぎ高齢者でも楽に操作できるようになる。また、暗いところでも操作ボタンの位置を容易に判別できる。【選択図】  図１
0003110990.tif 000002
【実用新案登録請求の範囲】
【請求項１】
家庭用電気機器の操作ボタンの表面に貼り付けられるシール本体と、且つこの操作ボタンを操作する際に指先の感覚で確認できるシール本体の表面の突起と、更にシール本体の裏面に操作ボタンへの粘着剤を備えたことを特徴とする家庭用電気機器の操作ボタン貼付用シール。
【請求項２】
シール本体を帯状の帯状の透明性とし、ループ状に巻き取った請求項１記載の家庭用電気機器の操作ボタン貼付用シール。
【請求項３】
シール本体を透明性とし、１枚の平面状の台紙上に多数設けた請求項１記載の家庭用電気機器貼付用シール。
【請求項４】
シール本体を非透明性とし、１枚の平面状の台紙上に多数設け、しかもシール本体の表面に操作ボタンに対応する機能の文字等を印刷あるいは手書きできる請求項１記載の家庭用電気機器の操作ボタン用シール。
【考案の詳細な説明】
【技術分野】
【０００１】
本考案は、家庭用電気機器の操作ボタン貼付用シールに関する。
【背景技術】
【０００２】
従来の家庭用電気機器の操作ボタンの形状は、円形又は楕円形で突起面がほとんどなく平面を指先の全面で押さえるものである。（図６及び図７参照）
【考案の開示】
【考案が解決しようとする課題】
【０００３】
しかしながら、以上の背景技術によれば、押圧力が分散し指先に大きな力が必要となり、中高年者、特に高齢者にとってはその操作が困難であった。また、暗いところでは操作ボタンの位置が判別しにくいという欠点もあった。
【課題を解決するための手段】
【０００４】
家庭用電気機器の操作ボタンの表面に貼り付けられるシール本体と、且つこのボタンを操作する際に指先の感覚で確認できるシール本体の表面の突起と、更にシール本体の裏面に操作ボタンへの粘着剤を備えたことを特徴とする家庭用電気機器の操作ボタン貼付用シール。
【考案の効果】
【０００５】
この考案によれば、家庭用電気機器の操作ボタンが大きな平面状から小さな点状になることでより正確な操作が可能となり、しかも暗いところでもその位置が判別しやすくなり、中高年者、特に高齢者が操作する際は、背景技術と比較してはるかに容易になるものと考えられる。
【考案を実施するための最良の形態】
【０００６】
以下本考案を実施の形態を示す図面に基づき説明する。
図１は、シール本体を帯状の透明性とし、これをループ状に巻き取って輪体を構成するその斜視図である。このシール本体１の全長の裏面に施された粘着剤３には、直径及び高さ約１．５ミリメートルの突起２が一定間隔で設けられており、シール本体１を家庭用電気機器の操作ボタンの形状に合わせて切り取り、その表面に貼付する。その際、突起２が操作ボタンの表面に局部的に突出することとなり指先の感覚だけでそれを判別できる。
図３は、シール本体１を透明性または非透明性とし、１枚の平面状の台紙４上に多数個設けている。シール本体の裏面全面に施された粘着剤の中央にはそれぞれ直径及び高さ約１．５ミリメートルの突起２が１個ずつ設けられており、シール本体１を台紙４より剥がして家庭用電気機器の操作ボタンの表面に貼付する。その際、突起が操作ボタンの表面に局部的に突出して指先の感覚だけでそれを判別できる。
【実施例】
【０００７】
図４は、この考案の１実施例を示す拡大平面図であり、シール本体１が家庭用電気機器の操作ボタンＢの表面に貼付されている。
図５は、図４の側面図であり、シール本体１の裏面に施された粘着剤３の働きによって家庭用電気機器の操作ボタンＢの表面に貼付され、その際、ほぼ同一平面状になっている家庭用電気機器の操作部本体Ｈ及び操作パネルＰ及び操作ボタンＢ上に突起２が局部的に突出することになり、指先の感覚だけでそれを判別できる。
【図面の簡単な説明】
【０００８】
【図１】本考案を示す斜視図である。
【図２】同上の側面図である。
【図３】本考案の異なる実施形態を示す平面図である。
【図４】本考案の１使用状態を示す平面図である。
【図５】同上の側面図である。
【図６】背景技術の１実施例を示す平面図である。
【図７】同上の側面図である。
【符号の説明】
【０００９】
１  シール本体
２  突起
３  粘着剤
４  台紙
Ｈ  家庭用電気機器操作部本体
Ｐ  同上操作パネル
Ｂ  同上操作ボタン
【図１】
0003110990.tif 000003
【図２】
0003110990.tif 000004
【図３】
0003110990.tif 000005
【図４】
0003110990.tif 000006
【図５】
0003110990.tif 000007
【図６】
0003110990.tif 000008
【図７】
0003110990.tif 000009
(57)【要約】      （修正有）【課題】利用者本人の残存能力を生かしつつ、合わせて介護者の介護の軽減化と安全性を考慮し、更に利用者本人の入浴意欲の増大が期待出来る介護用浴槽を開発・提供する。【解決手段】浴槽の縁部のそれぞれ相対向する箇所に四角形状の縁部挿入穴を複数穿設し、浴槽の床面にも適宜な箇所に四角形状の床面挿入穴を設け、これら両穴に差し込む手摺りを嵌脱自在に設け、又、浴槽の縁部に設けた縁部挿入穴部及び床面に設けた床面挿入穴部には手摺り抜け防止用ラバーを嵌着し、且つ、縁部挿入穴部及び床面挿入穴部の底部に水抜き用排水孔を設けた。【選択図】図１
0003110941.tif 000002
【実用新案登録請求の範囲】
【請求項１】
浴槽において、該浴槽（１）の縁部（１ａ）のそれぞれ相対向する箇所に四角形状の縁部挿入穴（１ｂ）を複数穿設し、浴槽（１）の床面（Ｃ）にも適宜な箇所に四角形状の床面挿入穴（Ｃａ）を設け、これら両穴（１ｂ）（Ｃａ）に差し込む手摺り（２ａ）（２ｂ）（２ｃ）（２ｄ）を嵌脱自在に設けた事を特徴とする介護用浴槽。
【請求項２】
浴槽において、該浴槽（１）の縁部（１ａ）に設けた縁部挿入穴（１ｂ）部及び床面に設けた床面挿入穴（Ｃａ）部には手摺り抜け防止用ラバー（３）を嵌着し、且つ、縁部挿入穴（１ｂ）部及び床面挿入穴（Ｃａ）部の底部に水抜き用排水孔（１ｃ）（Ｃａ）を設けた事を特徴とする請求項１記載の介護用浴槽。
【考案の詳細な説明】
【技術分野】
【０００１】
この考案は、介護用浴槽に関するものである。
【背景技術】
【０００２】
従来、高齢者、或いは、身体に何らかの障害を持つ事になった障害者は、従来の様に一人浴槽が利用できなくなる場合があり、その為、機械力による装置に頼って入浴する特別浴槽の利用を余儀なくされる事があった。
【０００３】
しかし、この特別浴槽を利用しなければ、入浴できないというのは利用者本人にとって、健康にたいする自身を必要以上に失ったり、場合によっては屈辱感を感じたり、又、利用者本人のそれまでの生理的な生活習慣を大きく転換させる事であり、人間の尊厳を考えた時に、決して望ましいものではなかった。
【０００４】
又、これまでに出願されている介護用浴槽の特許文献を参考の為、紹介する。（特許文献１〜３参照。）
【特許文献１】実願平８−００１００９
【特許文献２】実願平１０−００９８０８
【特許文献３】特願２００３−１９０７３１
【考案の開示】
【考案が解決しようとする課題】
【０００５】
そこでこの考案は、利用者本人の残存能力を生かしつつ、合わせて介護者の介護の軽減化と安全性を考慮し、更に利用者本人の入浴意欲の増大が期待出来る介護用浴槽を開発・提供する事にある。
【課題を解決するための手段】
【０００６】
この考案は、上記課題を解決する為に、浴槽の縁部のそれぞれ相対向する箇所に四角形状の縁部挿入穴を複数穿設し、浴槽の床面にも適宜な箇所に四角形状の床面挿入穴を設け、これら両穴に差し込む手摺りを嵌脱自在に設け、又、浴槽の縁部に設けた縁部挿入穴部及び床面に設けた床面挿入穴部には手摺り抜け防止用ラバーを嵌着し、且つ、縁部挿入穴部及び床面挿入穴部の底部に水抜き用排水孔を設けたものである。
【考案の効果】
【０００７】
この考案の効果として、浴槽の縁部のそれぞれ相対向する箇所に四角形状の縁部挿入穴を複数穿設し、浴槽の床面にも適宜な箇所に四角形状の床面挿入穴を設け、これら両穴に差し込む手摺りを嵌脱自在に設け、又、浴槽の縁部に設けた縁部挿入穴部及び床面に設けた床面挿入穴部には手摺り抜け防止用ラバーを嵌着し、且つ、縁部挿入穴部及び床面挿入穴部の底部に水抜き用排水孔を設けた事で、利用者の残存能力も使用しながらの入浴が出来る事により、精神的に満足した状態で入浴が出来、又、安全性・耐久性・操作性面で極めて有益なる効果を奏するものである。
【考案を実施するための最良の形態】
【０００８】
この考案の最良の形態として、利用者の体力や体形に合わせて、最良の手摺りの取り付け位置を設定し、ゆとりを持って安全、且つ、安心して使用出来る状態を作る事が重要である。
【実施例１】
【０００９】
そこで、この考案の一実施例を図１〜図２に基づいて詳述すると、浴槽において、該浴槽（１）の縁部（１ａ）のそれぞれ相対向する箇所に四角形状の縁部挿入穴（１ｂ）を複数穿設し、浴槽（１）の床面（Ｃ）にも適宜な箇所に四角形状の床面挿入穴（Ｃａ）を設け、これら両穴（１ｂ）（Ｃａ）に差し込む手摺り（２ａ）（２ｂ）（２ｃ）（２ｄ）を嵌脱自在に設けた事を特徴とする介護用浴槽から構成される。
【００１０】
又、浴槽において、該浴槽（１）の縁部（１ａ）に設けた縁部挿入穴（１ｂ）部及び床面に設けた床面挿入穴（Ｃａ）部には手摺り抜け防止用ラバー（３）を嵌着し、且つ、縁部挿入穴（１ｂ）部及び床面挿入穴（Ｃａ）部の底部に水抜き用排水孔（１ｃ）（Ｃａ）を設けた事を特徴とする介護用浴槽から構成される。
【００１１】
次に、この考案の介護用浴槽に設置された手摺り（４種類）の機能について説明すると、まず、浴槽の両端縁部に設けた手摺り（２ａ）は、浴槽内に入った時に立ったり座ったりする時に使用するもので、又、浴槽の縁部に対して直角方向に設けた手摺り（２ｂ）は、浴槽内に入る時に使用するもので、更に、浴場の入口から浴槽の所まで設けた手摺り（２ｃ）（２ｄ）は、浴槽へ移動する為で、水平移動時における姿勢保持機能を保ち、且つ、浴場内で滑って転ばない様にしたものである。
【００１２】
又、浴槽の縁部及び床部に設けた、それぞれの手摺り挿入穴（１ｂ）（Ｃａ）部には、抜け防止用ラバー（３）を嵌着して、利用者が安全、且つ、安心して使用出来る様に配慮されている。
【００１３】
又、手摺り挿入穴（１ｂ）（Ｃａ）部の底には、水抜き用の排水孔（１ｃ）（Ｃｂ）を設け、水が溜らない様に成っている。
【産業上の利用可能性】
【００１４】
この考案は、利用者の残存能力も使用しながらの入浴が出来る事により、精神的に満足した状態で入浴が出来、又、安全性・耐久性・操作性面で極めて有益なる効果を奏する事で多くの高齢者に寄与する点で産業上の利用可能性を有する。
【図面の簡単な説明】
【００１５】
【図１】この考案の一実施例を示し、（Ａ）は介護用浴槽の斜視図で、（Ｂ）は図１（Ａ）のａ部拡大詳細図である。
【図２】この考案の一実施例を示し、（Ａ）は介護用浴槽の縁部の一部欠截平面図で、（Ｂ）は縁部の断面図である。
【符号の説明】
【００１６】
１  浴槽
１ａ  縁部
１ｂ  縁部挿入穴
１ｃ  水抜き用排水孔
２ａ  手摺り
２ｂ  手摺り
２ｃ  手摺り
２ｄ  手摺り
３  抜け防止用ラバー
Ｃ  床面
Ｃａ  床面挿入穴
【図１】
0003110941.tif 000003
【図２】
0003110941.tif 000004
(57)【要約】【課題】ソファーベッドは、ベッドからソファーへ切り替えるときに持ち上げるのが重かったりたり、折り曲げたりする動作が困難であった。【解決手段】折り曲げ自在な前部、中部、後部の三つの台座からなるソファーベッドをソファーとして使用する場合は、台座の前部、台座の後部を重ねて腰掛部分とし、台座の後部の両側板はソファー時には肘掛とし、台座の前部は背もたれ部分として使用し、台座の前部と台座の中部との間の空間に止め具をはめ込んで台座の前部と台座の中部を固定しソファーを構成する。背もたれの部分と腰掛部分を、取り外し可能な止め具によって固定することによりベッドとソファーの切り替えを簡単にした。ベッド時の台座の後部の両側板はソファー時に肘掛として使用できる形状を取る。【選択図】      図２
0003110996.tif 000002
【実用新案登録請求の範囲】
【請求項１】
ソファーベッドは、折り曲げ自在で且つ前部、中部、後部の三つの台座からなり、ソファーとして使用する場合は、台座の中部に、台座の後部を重ねて腰掛部分とし、台座の後部の両側板はソファー時には肘掛とし、台座の前部は背もたれ部分として使用し、台座の前部と台座の中部との間の空間に止め具をはめ込んで台座の前部と台座の中部を固定しソファーの形状にすることを特徴とするソファーベッド。
【考案の詳細な説明】
【技術分野】
【０００１】
本考案は、組立式のソファーベッドに関する。
【背景技術】
【０００２】
従来のソファーベッドには、ソファーからベッドに用途を変えるときに、折り曲げる時に二つの台座を持ち上げなければならないものがある。また、ジョイント部分が複雑な構造になっている。
【特許文献１】特開２００３−２５０６６２号公報
【考案の開示】
【考案が解決しようとする課題】
【０００３】
以上の技術によれば、ソファーからベッドへ切り替えるときに持ち上げるのが重かったり、折り曲げたりする動作が困難であった。そこでこの考案のソファーベッドは、切り替え部分が簡単な構造になっており、折り曲げるときも労力を要しないものを提供することを課題とする。
【課題を解決するための手段】
【０００４】
本考案のソファーベッドは、折り曲げ自在で且つ前部、中部、後部の三つの台座からなり、ソファーとして使用する場合は、台座の中部に、台座の後部を重ねて腰掛部分とし、台座の後部の両側板はソファー時には肘掛とし、台座の前部は背もたれ部分として使用し、台座の前部と台座の中部との間の空間に止め具をはめ込んで台座の前部と台座の中部を固定しソファーの形状にすることを特徴とする。
【考案の効果】
【０００５】
専用の止め具を使用し、ソファーとベッドが簡単な構造で切り替えられる。
ソファーとして使用する際の占有床面積がベッド時の半分以下になり、部屋を広く使える。
ソファーとベッド、どちらの使用目的にもかかわらず、日用品等の収納スペースが確保できる。
【考案を実施するための最良の形態】
【０００６】
この考案の実施形態を、図１、２、３に基づいて説明する。
ソファーベッドの台座１、２、3は木製であり、図１に示したようにすのこ状になっている。
【０００７】
ベッド時は、丁番金具１２、１３を用いて折り畳み自在に構成されている三つ台座の前部１及びその両側板６、中部２及びその両側板５、後部３及びその両側板４の３つの台座全部を床面と水平にして使用する。両側板と止め具の湾曲した形状により、ソファーとして使用する際に台座と止め具のズレを抑えることができる。安定性をもたらすために、補強棒８、１１をはめこんでいる。
【０００８】
ソファー使用は図２に示したように、台座の後部３を丁番金具１３を中心に180度回転し、台座の中部２の上に重ね、台座の前部１は垂直に立てて背もたれとし、止め具１０をはめ込んで台座の前部１と台座の中部２を固定する。台座後部の両側板４は、ソファー時は、肘掛として使用できる形状を取る。止め具１０の両側板は、台座１の両側板６と台座２の両側板５の境界部分の形状と合致する形状をとる。台座の前部１と台座の後部３は止め穴７、９の穴にねじを入れて固定する。
【図面の簡単な説明】
【０００９】
【図１】ベッドとして使用する場合の斜視図である。
【図２】ソファーとして使用する場合の分解斜視図である。
【図３】止め具をはめ込んだ後のソファーの斜視図である。
【符号の説明】
【００１０】
１  台座の前部              ２  台座の中部
３  台座の後部              ４  台座の後部の両側板
５  台座の中部の両側板      ６  台座の前部の両側板
７  止め穴                  ８  補強棒          
９  止め穴                  １０  止め具  
１１補強棒                  １２、１３  丁番金具
【図１】
0003110996.tif 000003
【図２】
0003110996.tif 000004
【図３】
0003110996.tif 000005
(57)【要約】      （修正有）【課題】リモコンを操作するには通常左手で持ち右手でボタンを押す、両手を使用しないと操作できない卓上用に出来てないためテーブルに置いて操作すると動いてしまい操作がしにくく、ボタンが小さく、数が多く操作が複雑である、各種の家電製品を操作するには消費電力も多くなる。これらの問題を解決したリモコンの提供。【解決手段】リモコンのボタンの数を少なくしてボタンを効率配置、テーブル、コタツの上においてテレビ等を操作できるようリモコンの底に滑り止めのゴムを付け信号を送る赤外線を前方に広角発射、卓上用は半円形のドームの中に三方、四方、上面へも信号を発射できるよう３〜５個のＬＥＤを配置、部屋の四方、上部に置かれた各種の家電製品を操作する。この場合消費電力が多くなるが卓上用では大きい電池が使用できる、お気に入りボタンを設け、ボタンに一番のお気に入りのチャンネルを登録できるようにし、１２のチャンネルボタンの数字を手前の下左から始まり上右側で終わるようにする。【選択図】図１
0003110863.tif 000002
【実用新案登録請求の範囲】
【請求項１】
卓上用又は卓上、手持ち兼用として底に滑り止めを付け、電池収容部を大きく取り単２、単３電池が使用でき電池の容量が増え取替え間隔を長くした卓上用リモコン
【請求項２】
お気に入りボタン１を設け、これにお気に入りのチャンネルを登録できるようにした請求項１の卓上リモコン
【請求項３】
１２個のチャンネルボタンの並びを手前下左から右へ１，２，３と順に図１のように並べ、、電源スイッチ、チャンネル選択ボタン、音量調節ボタン、お気に入りボタンをリモコン下部に集めた請求項１の卓上リモコン
【請求項４】
赤外線を広角に発射できるよう半円形のドーム５、の中にＬＥＤを３〜５個配置、各電化製品をコントロールする請求項１の卓上リモコン
【考案の詳細な説明】
【考案の詳細な説明】
【技術分野】
【０００１】この発明はテレビ、ビデオ、ＤＶＤ、エアコン、照明器具等のリモコンに関するものである。
【背景技術】
【０００２】現在のリモコンは通常左手に持ち右手で操作するように作られている、又多くの機種を操作できるがボタンが多く、小さく操作が複雑である。
操作の複雑さを避けるためテレビ専用リモコンにしているものもある。
【考案の開示】
【考案が解決しようとする課題】
【０００３】リモコンを操作するには通常左手で持ち右手でボタンを押す、両手を使用しないと操作できない、片手で操作するには左手で持ち、左手の指が上部から下部まで届かず持ち直さないと操作できない、
ボタンが小さく卓上用に出来てないためテーブルにおいて操作すると動いてしまい操作がしにくい、ボタンを小さくすることもできるが指先で操作しにくく、ボタンを大きくすればリモコンが大きくなってしまい、又ボタンの数が多く操作が複雑である。
卓上リモコンでテレビ、ビデオ、エアコン等を片手、指１本で操作できるようにする。
最近ではテレビ、ビデオはもちろんＤＶＤ、エアコン等にも使用できるリモコンもあり各家電製品を一台のリモコンで操作するには電池の容量を大きくする必要がある。
【課題を解決するための手段】
【０００４】卓上用又は卓上、手持ち兼用として底に滑り止めを付け、電池収容部を大きく取り単２、単３電池が使用でき電池の容量が増え取替え間隔を長くする。
お気に入りボタン１を設け、これにお気に入りのチャンネルを登録できるようにする。
１２個のチャンネルボタンの並びを手前下左から右へ１、２、３と順に図１のように並べ、、電源スイッチ２、チャンネル選択ボタン３、音量調節ボタン４、お気に入りボタン１、をリモコン下部に集める。
赤外線を広角に発射できるよう半円形のドーム５、の中にＬＥＤ３〜５個を配置、各電化製品をコントロールする。
【考案の効果】
【０００５】卓上型にしたため形状を比較的大きくできボタンも大きくでき、滑り止めにより卓上でもすべらず操作がしやすい、又電池の収容部分が大きくとれ単２、単３電池が使用でき電池交換が少なくてすみ、リモコンの多様化による使用電力増にも対応できる。
ボタンを大きくして、配置も図のようにしてボタンの効率配置により操作が容易である。お気に入りボタンを設け好みのチャンネルを登録でき操作しやすい位置にボタンもある。スイッチと音量調節、チャンネル選択、お気に入りボタンをリモコンの手前下部に集めて腕の動きを小さくした。ＬＥＤを上面に向け照明器具のコントロールも出来る。
【考案を実施するための最良の形態】
【０００６】卓上、手持ち兼用リモコンでは操作を限定しボタンの数を少なくしてボタンを効率配置、リモコンの大きさを一定以上に大きくせずボタンを大きくして、テーブル・コタツの上においてテレビ等を操作できるようリモコンの底に滑り止めのゴムを付け、信号を送る赤外線を前方に広角発射、卓上、手持ちどちらでも操作しやすい大きさにする。
卓上型リモコンでは多くの機能をもたせ、テレビ、ビデオ、テレビデオ、ＤＶＤ、エアコン、照明器具等の各機能にも対応させ、信号を送る赤外線を三方、四方、上面へも発射できるよう３〜５個のＬＥＤを半円形のドーム５、の中に収納、部屋に置かれた家電製品を操作する。
卓上型で比較的大きいため電池は単２、単３が使え消費電力の増加にも対応できる。
リモコンの大きさは卓上型として大きく安定した大きさにしても、手持ち、卓上の兼用の手に入る大きさにしても良い。
ボタンの形状は手前前方に傾斜させ文字、数字を見やすくしても良い。
ボタンには新しく、１２個のチャンネルボタンのほかにお気に入りボタンを設け、最も操作しやすい位置に配置、このボタンに一番のお気に入りのチャンネルを登録できるようにする、
チャンネルボタンは普通、上の左から始まり下の右側で終わる、操作のしやすさで言えば手元すなわち、手前の下左から始まり上右側で終わるほうが、操作が楽な場合が多いい、これはリモコンを左手に持ち右手で操作することを前提にしているからである、この卓上型では手前すなわちリモコンの下側に主な操作部を設け人間工学に基づき動きを少なくする、数字も上から並べるのでなく下から並べ頻度の多い若い数字が下に来るようにする。
【図面の簡単な説明】
【図１】ボタンの配置図Ａ、図はＬＥＤ４個配置、半円形ドームをはずした状態
【図２】ボタンの配置図Ｂ、前面より赤外線を発射
【符号の説明】
１、お気に入りボタン  ２、電源スイッチ  ３、チャンネル±ボタン  ４、音量調節ボタン  ５、ＬＥＤと収納ドーム
【図１】
0003110863.tif 000003
【図２】
0003110863.tif 000004
【手続補正書】
【提出日】平成17年2月12日(2005.2.12)
【手続補正１】
【補正対象書類名】実用新案登録請求の範囲
【補正対象項目名】請求項３
【補正方法】変更
【補正の内容】
【請求項３】
１２個のチャンネルボタンの並びを手前下左から右へ１，２，３、その上部に４，５，６、その上部に７，８，９、その上部に１０，１１，１２並べ、電源スイッチ、チャンネル選択ボタン、音量調節ボタン、お気に入りボタンをリモコン下部に集めた請求項１の卓上リモコン
(57)【要約】【課題】開封した海苔袋に入れた焼き海苔が湿気るのを防止し、その長期保存を可能にする。【解決手段】受けトレー１にヒンジ５を介して蓋トレー２を開閉可能に取り付けた容器において、容器の中に開封後の焼き海苔袋７を容れて、蓋トレー２を閉じたとき、前記両トレー１、２は、その内面に前記海苔袋７の開封部を挟持して密封する弾性押圧部材を備えていることを特徴とする焼き海苔保存容器。【選択図】図１
0003110870.tif 000002
【実用新案登録請求の範囲】
【請求項１】
受けトレー１にヒンジ３を介して蓋トレー２を開閉可能に取り付けた容器において、容器の中に開封後の焼き海苔袋７を容れて、蓋トレー２を閉じたとき、前記両トレー１、２は、その内面に前記海苔袋７の開封部を挟持して密封する弾性押圧部材を備えていることを特徴とする焼き海苔保存容器。
【考案の詳細な説明】
【技術分野】
【０００１】  この考案は開封後の焼き海苔の保存容器に関するものである。
【背景技術】
【０００２】  図４は、従来の開封後の焼き海苔１０の保存方法を示している。
この保存方法は、海苔袋の開封部を折り曲げ、セロテープ１１貼って、海苔袋１２を密封する方法である。
図５は、他の従来例である。
これは海苔袋１３の面ファスナー１４の開閉によって、その中の焼き海苔１５の出し入れをするようにしたものである。
【考案の開示】
【考案が解決しようとする課題】
【０００３】  しかしながら、上記従来例では、海苔の出し入れの都度、セロテープを貼り直さなくてはならないことや、外部から空気が入り込むことで海苔が吸湿し、長期保存ができない。
【課題を解決するための手段】
【０００４】  本考案は、上記問題点を解決する焼き海苔保存容器であって、受けトレー１にヒンジ３を介して蓋トレー２を開閉可能に取り付けた容器において、容器の中に開封後焼き海苔袋７を容れて、蓋トレー２を閉じたとき、前記両トレー１、２は、その内面に前記海苔袋７の開封部を挟持して密封する弾性押圧部材を備えていることを特徴とするものである。
【考案の効果】
【０００５】  この考案は、上記の構成としたので、保存容器の開閉の都度の密封が完全となり、焼き海苔が湿気ることなく長期保存が可能になる。
【考案を実施するための最良の形態】
【実施例】
【０００６】  以下、この考案の実施例を図１、２、３を参照しながら説明する。
図１において、１は受けトレー、２は、ヒンジ３で受けトレー１に取り付けた蓋トレー、４、５は、両トレーの上側上端部内側に取り付けた一対の板状のウレタンゴム部材、６ａ、６ｂは、受けトレー１と蓋トレー２を固定するための止め具である。【０００７】  上記一対のウレタンゴム部材４、５は、前記受けトレー１に開封後の焼き海苔袋７を容れて、蓋トレー２を閉じたとき、図２に示すように、焼き海苔袋７の開封部を挟持して密封する部材である。【０００８】  図２は、上記開封部の密封状態を示す、要部断面図である。
図３は、上記ウレタンゴム部材４、５の変形例である。この例では、ウレタンゴム部材８、９は、段部を設けて、かみ合わせる構造にして、焼き海苔袋開封部の位置決めを容易にした。【０００９】  図示しないが、両部材４、５、または８、９は容器の深さより厚くして、開封部の押圧力を高めて、密封度を高くすることが出来る。
【図面の簡単な説明】
【００１０】
【図１】実施例の焼き海苔保存容器を示す斜視図
【図２】図１の焼き海苔保存容器を使用して、海苔袋の開封部をウレタンゴム部材で挟持したときの状態を示す、要部拡大図
【図３】図１の焼き海苔保存容器におけるウレタンゴム部材の他の態様を示す、図２に対応する図
【図４】従来の焼き海苔の保存容器の要部断面図
【図５】従来の焼き海苔の保存容器の要部正面図
【符号の説明】
【００１１】１  受けトレー
２  蓋トレー
３  ヒンジ
４  ウレタンゴム部材
５  ウレタンゴム部材
６  留め具
７  焼き海苔袋
８、９  ウレタンゴム部材
【図１】
0003110870.tif 000003
【図２】
0003110870.tif 000004
【図３】
0003110870.tif 000005
【図４】
0003110870.tif 000006
【図５】
0003110870.tif 000007